(57)【要約】【課題】  球体の内壁をスクリーンとして全球に渡って映像を投映する映像施設において、プロジェクターの存在が視界に入ることにより観客の視覚の妨げとなることを防止する。【解決手段】  球体Ｄの内壁をスクリーンとして全球に渡って映像を投映する映像施設にして、球体の中央を貫通するように橋梁状の通路１０を設け、通路の両端を球体の内外に開口した一対の出入り口Ｄ１、Ｄ２と連結した全球型映像施設において、上記の出入り口のそれぞれの周囲に複数台のプロジェクターＰ１〜Ｐ１２を配置し、各プロジェクターの画像を対面するスクリーンＳ１〜Ｓ１２の分割領域に投映し、それらの分割領域の画像をつなぎ合わせて全球を包括する。【選択図】      図１
2006267740.tif 000002
【特許請求の範囲】
【請求項１】
球体の内壁をスクリーンとして全球に渡って映像を投映する映像施設にして、球体の中央を貫通するように橋梁状の通路を設け、通路の両端を球体の内外に開口した一対の出入り口と連結した全球型映像施設において、上記の出入り口のそれぞれの周囲に複数台のプロジェクターを配置し、各プロジェクターの画像を対面するスクリーンの分割領域に投映し、それらの分割領域の画像をつなぎ合わせて全球を包括することを特徴とする全球型映像施設。
【請求項２】
一対の出入り口のそれぞれの周囲に６台のプロジェクターを配置し、各プロジェクターの画像を対面するスクリーンの６箇所の分割領域に投映し、合計１２箇所の分割領域の画像をつなぎ合わせて全球を包括する請求項１記載の全球型映像施設。
【請求項３】
一対の出入り口のそれぞれから対面するスクリーンの各分割領域に投映するに際し、各分割領域を台形状とし、台形の底辺を全球の子午線上に揃えることにより対面するスクリーンの半球の範囲内に各分割領域を収める請求項１又は２記載の全球型映像施設。
【請求項４】
一対の出入り口のそれぞれから対面するスクリーンの各分割領域に投映するに際し、各分割領域を底辺が三角状に突出した変形台形状とし、上記の三角状に突出した箇所を子午線からプロジェクター側の半球に張り出させ、それぞれの半球から互いに張り出した分割領域の三角状に突出した箇所の斜面同士をつなぎ合わせる請求項１又は２記載の全球型映像施設。
【発明の詳細な説明】
【技術分野】
【０００１】
この発明は映像施設に関し、より詳細には球体の内壁をスクリーンとして全球に渡って映像を投映する映像施設に関する。
【背景技術】
【０００２】
球体内の全面に映像が表示される全球映像の構想は古くからあり、究極の映像表現として位置づけられていた。例えば、従来半球状のドームに投映していたプラネタリウムにおいて、全球型のスクリーンを採用することにより天球を再現することが可能となり、より写実的な天体のシミュレーションを実現できる他、観客に恰も宇宙遊泳しているかのような没入感を与えることが可能となる。又、地球上の自然現象をシミュレートする映像においても、海中の映像を例にとれば観客は海底と海面を同時に観察することができ、より実際の現象に近い疑似体験を行うことが可能となる。
【０００３】
一方、球状のスクリーンを想定した場合、床面をドームが覆う半球状のドームスクリーンと異なりスクリーン内に観客を位置させる手段がなく、これが全球映像を実現するためのネックとなっていた。従来、そのための手段として球体の中央を貫通するように橋梁状の通路を設けることが特許文献１及び２において公知であった。又、球体の赤道付近に設けた貫通窓から座席を球体外より球体内に対して進退自在に配することが特許文献３において公知であった。
【特許文献１】登録第３０２７３０３号実用新案公報
【特許文献２】登録第３１０５３３２号実用新案公報
【特許文献３】登録第３０９９１３２号実用新案公報
【発明の開示】
【発明が解決しようとする課題】
【０００４】
ところで、全球に渡って映像を投映する手段を想定した場合、複数のビデオプロジェクターによる投映像をつなぎ合わせて全球を包括する手段が現在のところ最適である。即ち、ここではスクリーンを構成する球体の壁面全周に複数台のプロジェクターを配置し、各プロジェクターの画像を対面するスクリーンの領域に投映し、それらの画像をつなぎ合わせて全球を包括する。
【０００５】
複数のビデオプロジェクターによる投映像をつなぎ合わせる技術は半球状のドーム型スクリーンにおいては普及しており、現在の世界の標準は半球を６面の分割領域に分割し、ドームスクリーンの円周上に沿って配した６台のプロジェクターにより各領域に投映する方式である。よって、上記方式を全球型映像施設に応用した場合、球体の赤道面に沿って１２台のプロジェクターのための１２個の映写窓が開口することになる。しかしながら、これは映像の画面の最も見やすい箇所に映写窓が位置することになり、観客にとって目障りであり、没入館を大いに損なうこととなった。
【課題を解決するための手段】
【０００６】
この発明は前記の従来技術の問題点を解消するためにプロジェクターを観客にとって目障りでない箇所に位置させることに意を払ったものであり、球体の内壁をスクリーンとして全球に渡って映像を投映する映像施設にして、球体の中央を貫通するように橋梁状の通路を設け、通路の両端を球体の内外に開口した一対の出入り口と連結した全球型映像施設において、上記の出入り口のそれぞれの周囲に複数台のプロジェクターを配置し、各プロジェクターの画像を対面するスクリーンの分割領域に投映し、それらの分割領域の画像をつなぎ合わせて全球を包括することを特徴とする。
【発明の効果】
【０００７】
特許文献１及び２において公知の、球体の中央を貫通するように橋梁状の通路を設ける構造は、観客が球体の中心に位置することを可能にするので球体内の全面に投映される映像を鑑賞するには最適の手段である。この場合、通路上には複数の観客が存在するので、心理的に観客の視線は通路と直交する方向の上下に向けられ、通路自体の前後に向けられる場合でも他の観客を避けるためにかなり高い角度を見上げることが予想される。
【０００８】
この発明は前記の観客の心理に着目して創作されたものであり、通路の一対の出入り口のそれぞれの周囲に複数台のプロジェクターを配置することにより、観客の視線の死角領域にプロジェクターを位置させ、観客の没入館を損なうことを防止している。
【発明を実施するための最良の形態】
【０００９】
以下、この発明の具体的実施例を添付図面に基づいて説明する。図２及び図３はこの発明の映像施設の一例を示す図である。図中符号Ｄは内面をスクリーン面とした中空の球体を指す。上記球体Ｄのスクリーン面には全球に渡ってプロジェクターにより映像が投映される。
【００１０】
この実施例においては、以上の球体Ｄは映像施設の建物本体Ｂに合体した建築物として構築され、この実施例では球体Ｄとして内径１２．７ｍ程度のものを想定している。球体Ｄの赤道付近の前後には球体の内外に開口した一対の出入り口Ｄ１、Ｄ２が設けられ、上記の出入り口には球体の中央を貫通するように橋梁状の通路１０が架け渡される。一方、建物本体Ｂには上記通路１０に連結される入退室路Ｂ１、Ｂ２を前後に設けることにより、観客は建物本体の一方の口から球体Ｄ内に入館して通路１０上で映像を鑑賞し、そのまま他方の口から退館できるようにしている。
【００１１】
図１はこの発明の映像施設におけるプロジェクターの配置及び投映画像の分割領域に関する第１実施例を示す図である。図中符合Ｐ１〜Ｐ１２はプロジェクターであり、ここでは画像表示素子の画像を光学系を介してスクリーンに投映するビデオプロジェクターを想定している。この実施例においては、一対の出入り口Ｄ１、Ｄ２に近接してそれぞれの周囲に６台のプロジェクターＰ７〜Ｐ１２、Ｐ１〜Ｐ６を配置し、各プロジェクターの画像を対面するスクリーンの６箇所のスイカ割り状の分割領域Ｓ７〜Ｓ１２、Ｓ１〜Ｓ６（図中符号において仮想線で囲んだ符号はスクリーンの裏側に採番したことを示す。）に投映し、合計１２箇所の分割領域の画像をつなぎ合わせて全球を包括している。この場合、ここでは一対の出入り口Ｄ１、Ｄ２のそれぞれから対面するスクリーンの各分割領域に投映するに際し、各分割領域を台形状とし、台形の底辺を全球の子午線Ｍ上に揃えることにより対面するスクリーンの半球の範囲内に各分割領域を収めている。又、各半球同士の分割領域Ｓ７〜Ｓ１２、Ｓ１〜Ｓ６は子午線Ｍを挟んだ対称形状としており、それに伴いプロジェクターＰ７〜Ｐ１２とＰ１〜Ｐ６も対称位置に配している。
【００１２】
尚、この実施例において各半球の分割領域を６箇所としているのは、本願出願当時に流通しているプロジェクターの画像表示素子のアスペクト比を考慮した場合に素子の有効面積を最大限に活用するための理由によるものである。よって、将来的にプロジェクターの画像表示素子のアスペクト比が変化した場合は、それに伴い分割数も変化することは勿論である。
【００１３】
図６はこの発明の映像施設におけるプロジェクターの配置及び投映画像の分割領域に関する第２実施例を示す図である。この実施例においては前記の第１実施例の場合においてプロジェクターＰ７〜Ｐ１２とＰ１〜Ｐ６を対称位置に配することにより各半球同士の分割領域Ｓ７〜Ｓ１２、Ｓ１〜Ｓ６を子午線Ｍを挟んだ対称形状としていたのに対し、各半球同士の分割領域Ｓ７〜Ｓ１２、Ｓ１〜Ｓ６を子午線上で３０度ずらした配置としている。
【００１４】
図７はこの発明の映像施設におけるプロジェクターの配置及び投映画像の分割領域に関する第３実施例を示す図である。この実施例においては前記の第１実施例及び第２実施において各分割領域を台形状とし、台形の底辺を全球の子午線上に揃えることにより対面するスクリーンの半球の範囲内に各分割領域を収めていたのに対し、各半球の６箇所の分割領域Ｓ７〜Ｓ１２、Ｓ１〜Ｓ６を底辺が三角状に突出した変形台形状とし、上記の三角状に突出した箇所を子午線からプロジェクター側の半球に張り出させ、子午線上で３０度ずらすことによりそれぞれの半球から互いに張り出した分割領域の三角状に突出した箇所の斜面同士をつなぎ合わせる配置としている。
【００１５】
例えば最近開発されたアスペクト比が若干横長のＤＬＰ素子を採用したプロジェクターを使用する場合には、この実施例の分割方式は素子の有効面積を最大限に活用することができ有用である。理解を容易にするために、前記第１実施例及び第２実施例において想定しているプロジェクターの縦１０２４ピクセル、横１２８０ピクセルの画像表示素子Ｃに表示される画像Ｃ１と不使用領域Ｃ２の関係を図４に、この実施例において想定しているプロジェクターの縦１０２４ピクセル、横１４００ピクセルの画像表示素子Ｃに表示される画像Ｃ１と不使用領域Ｃ２の関係を図５にそれぞれ示す。
【図面の簡単な説明】
【００１６】
【図１】この発明の映像施設のプロジェクターの配置及び投映画像の分割領域の第１実施例を示すための構成図。
【図２】この発明の映像施設の一部切り欠き側面図。
【図３】この発明の映像施設の一部切り欠き平面図。
【図４】第１実施例及び第２実施例におけるプロジェクターの画像表示素子の平面図。
【図５】第３実施例におけるプロジェクターの画像表示素子の平面図。
【図６】この発明の映像施設のプロジェクターの配置及び投映画像の分割領域の第２実施例を示すための構成図。
【図７】この発明の映像施設のプロジェクターの配置及び投映画像の分割領域の第３実施例を示すための構成図。
【符号の説明】
【００１７】
Ｄ              球体
Ｄ１            出入り口
Ｄ２            出入り口
Ｐ１〜Ｐ１２    プロジェクター
Ｓ１〜Ｓ１２    投映画像の分割領域
【図１】
2006267740.tif 000003
【図２】
2006267740.tif 000004
【図３】
2006267740.tif 000005
【図４】
2006267740.tif 000006
【図５】
2006267740.tif 000007
【図６】
2006267740.tif 000008
【図７】
2006267740.tif 000009